(57)【要約】【課題】オペレータの立会いを要することなく、自動で電源オフすることができる自動分析装置、自動分析システムおよびその自動電源オフ方法を提供すること。【解決手段】自動分析装置１は、自動分析装置１の予定終了時刻とユーザの自動分析装置１へのアクセス時刻とを記憶する記憶部１９と、測定機構４０の分析後処理の終了を判定するとともに、記憶部１９から最新のアクセス時刻を取得して前記アクセス時刻から所定時間経過したか否かを判定する判定部２２と、判定部２２が前記アクセス時刻から所定時刻経過と判定した後、自動分析装置１の自動電源オフを出力する出力部１７と、予定終了時刻が経過し、かつ、出力部１７による自動電源オフの出力時から所定期間内にユーザのアクセスがない場合に、自動分析装置１を電源オフするよう制御する電源制御部２１と、を備える。【選択図】        図１
2010223736.tif 000002
【特許請求の範囲】
【請求項１】
検体と試薬との反応物を測定機構を用いて光学的に分析する自動分析装置であって、
該自動分析装置の予定終了時刻を記憶する記憶手段と、
前記測定機構の分析後処理の終了を判定する判定手段と、
前記判定手段が分析後処理終了と判定したときから所定時間経過後であって、かつ、前記記憶手段が記憶する予定終了時刻が経過した場合に、該自動分析装置を電源オフするよう制御する電源制御手段と、
を備えることを特徴とする自動分析装置。
【請求項２】
前記記憶手段は、ユーザの該自動分析装置へのアクセス時刻を記憶し、
前記判定手段は、前記測定機構の分析後処理の終了を判定するとともに、前記記憶手段から最新のアクセス時刻を取得して前記アクセス時刻から所定時間経過したか否かを判定し、
前記判定手段が前記アクセス時刻から所定時刻経過と判定した後、前記自動分析装置の自動電源オフを出力する出力手段を備え、
前記電源制御手段は、前記記憶手段が記憶する予定終了時刻が経過し、かつ、前記出力手段による自動電源オフの出力時から所定期間内にユーザのアクセスがない場合に、該自動分析装置を電源オフするよう制御することを特徴とする請求項１に記載の自動分析装置。
【請求項３】
複数の自動分析装置と、前記複数の自動分析装置を接続するよう配置され、検体容器を保持するラックを前記各自動分析装置に搬送する検体搬送システムとを備え、前記ラックを前記検体搬送システムによって各自動分析装置へ搬送し、前記検体容器内の検体を分析する自動分析システムであって、
前記各自動分析装置の予定終了時刻を記憶する記憶手段と、
前記各自動分析装置の分析後処理の終了を判定する判定手段と、
前記判定手段が分析後処理終了と判定したときから所定期間経過後であって、かつ前記記憶手段が記憶する予定終了時刻が経過した場合に、該自動分析装置を個別に電源オフするよう制御する電源制御手段と、
を備えることを特徴とする自動分析システム。
【請求項４】
前記記憶手段は、ユーザの前記各自動分析装置へのアクセス時刻を個別に記憶し、
前記判定手段は、前記各自動分析装置の分析後処理の終了を判定するとともに、前記記憶手段から最新のアクセス時刻を取得して前記アクセス時刻から所定時間経過したか否かを判定し、
前記判定手段が前記アクセス時刻から所定時刻経過と判定した後、前記各自動分析装置の自動電源オフを出力する出力手段を備え、
前記電源制御手段は、前記記憶手段が記憶する予定終了時刻が経過し、かつ、前記出力手段による自動電源オフの出力時から所定期間内にユーザのアクセスがない場合に、前記各自動分析装置を個別に電源オフするよう制御することを特徴とする請求項３に記載の自動分析システム。
【請求項５】
前記予定終了時刻は、自動分析装置毎および／または曜日毎に設定されることを特徴とする請求項３または４に記載の自動分析システム。
【請求項６】
前記各自動分析装置は同一の分析項目を分析対象とし、予定終了時刻が同一時刻に設定されている自動分析システムであって、
前記各自動分析装置は、
前記検体搬送システムから搬送される前記ラックを検体分注位置に引き込むラック引き込み部と、
前記ラック引き込み部入り口に設置され、前記検体容器に付された情報記憶媒体を読み込む読取装置と、
をそれぞれ備え、
該自動分析システムは、
前記各読取装置が読み取ったラック引き込み部で待機する分注待ちの検体数および総分析項目数から各自動分析装置の分注所要時刻を算出する算出手段と、
前記算出手段が算出した分注所要時刻が最大の自動分析装置への前記ラックの搬送を停止するよう制御する検体搬送制御部と、
を備えることを特徴とする請求項４または５に記載の自動分析システム。
【請求項７】
検体と試薬との反応物を測定機構を用いて光学的に分析する自動分析装置の自動電源オフ方法であって、
前記測定機構の分析後処理の終了を判定する第１判定ステップと、
前記判定手段が分析後処理終了と判定したときから所定期間経過後であって、かつ記憶手段に記憶された予定終了時刻が経過した場合に、前記自動分析装置を電源オフするよう制御する制御ステップと、
を含むことを特徴とする自動分析装置の自動電源オフ方法。
【請求項８】
前記第１判定ステップが分析後処理終了と判定後、ユーザが前記自動分析装置にアクセスした最新のアクセス時刻を前記記憶手段から取得する取得ステップと、
前記アクセス時刻から所定時間経過したか否かを判定する第２判定ステップと、
前記第２判定ステップが所定時間経過と判定後、前記自動分析装置の電源オフを出力する出力ステップと、
を含み、前記制御ステップは、前記記憶手段が記憶する予定終了時刻が経過し、かつ、前記出力ステップでの電源オフの出力時から所定期間内にユーザからのアクセスがない場合に、前記自動分析装置を電源オフするよう制御することを特徴とする請求項７に記載の自動分析装置の自動電源オフ方法。
【請求項９】
複数の自動分析装置と、前記複数の自動分析装置を接続するよう配置され、検体容器を保持するラックを前記各自動分析装置に搬送する検体搬送システムとを備え、前記ラックを前記検体搬送システムによって各自動分析装置へ搬送し、前記検体容器内の検体を分析する自動分析システムの自動電源オフ方法であって、
前記各自動分析装置の分析後処理の終了を判定する第１判定ステップと、
前記判定手段が分析後処理終了と判定したときから所定期間経過後であって、かつ記憶手段に記憶された予定終了時刻が経過した場合に、前記各自動分析装置を個別に電源オフするよう制御する制御ステップと、
を含むことを特徴とする自動分析システムの自動電源オフ方法。
【請求項１０】
前記第１判定ステップが分析後処理終了と判定後、ユーザが前記各自動分析装置にアクセスした最新のアクセス時刻を前記記憶手段から取得する取得ステップと、
前記アクセス時刻から所定時間経過したか否かを判定する第２判定ステップと、
前記第２判定ステップが所定時間経過と判定後、前記各自動分析装置の電源オフを出力する出力ステップと、
を含み、前記制御ステップは、前記記憶手段が記憶する予定終了時刻が経過し、かつ、前記出力ステップでの電源オフの出力時から所定期間内にユーザからのアクセスがない場合に、前記各自動分析装置を個別に電源オフするよう制御することを特徴とする請求項９に記載の自動分析システムの自動電源オフ方法。
【請求項１１】
前記第１判定ステップ、前記取得ステップ、前記第２判定ステップ、前記出力ステップ、および前記制御ステップが、自動分析装置毎に繰り返されることと特徴とする請求項１０に記載の自動分析システムの自動電源オフ方法。
【請求項１２】
前記予定終了時刻は、自動分析装置毎および／または曜日毎に設定されることを特徴とする請求項８〜１１のいずれか一つに記載の自動分析システムの自動電源オフ方法。
【請求項１３】
前記各自動分析装置は同一の分析項目を分析対象とし、予定終了時刻が同一時刻に設定されている自動分析装置の自動電源オフ方法であって、
前記各自動分析装置のラック引き込み部入口において、前記検体容器に付された情報記憶媒体を読み込む読取ステップと、
前記読取ステップで読み取った前記ラック引き込み部で待機する分注待ちの検体数および総分析項目数から、各自動分析装置の分注所要時刻を算出する算出ステップと、
前記算出ステップが算出した分注所要時刻が最大の自動分析装置への前記ラックの搬送を停止するよう制御する検体搬送制御ステップと、
を含むことを特徴とする請求項９〜１２のいずれか一つに記載の自動分析システムの自動電源オフ方法。
【発明の詳細な説明】
【技術分野】
【０００１】
本発明は、自動分析装置、自動分析システムおよびその自動電源オフ方法に関するものである。
【背景技術】
【０００２】
従来、自動分析装置は、血液等の検体と試薬との反応物の分析処理終了後、反応容器等の後洗浄を行なった後、オペレータが手動で電源オフを行なっている。自動分析装置は、分析精度を維持すべく、恒温槽の温度管理、標準のキャリブレーション等、その立ち上げに時刻を要する。したがって、自動分析装置の電源オフの後、検体の分析もれ等による再立ち上げを行うことは時間のロスにつながるため、自動分析装置の電源オフはオペレータの管理のもと慎重に行われている。このような状況のなか、自動分析装置と別系統の電源で駆動する制御回路を有し、オペレータの終了動作の設定の後、前記制御回路からの信号に基づき自動分析装置の電源をオフする装置が提案されている（例えば、特許文献１参照）。
【０００３】
【特許文献１】特開平４−６４６７号公報
【発明の開示】
【発明が解決しようとする課題】
【０００４】
しかしながら、特許文献１に開示された自動分析装置は、オペレータの終了動作の設定の後自動電源オフすることにより、オペレータの意図しない偶発的な電源オフを防ぐものであり、自動電源オフの際にはオペレータの終了動作の設定が必要となるため、たとえば、休日等に自動分析装置を自動運転した後電源オフする際には、依然としてオペレータの立会いが必要となる。
【０００５】
本発明は、上記に鑑みてなされたものであって、オペレータの立会いを要することなく、自動で電源オフすることができる自動分析装置、自動分析システムおよびその自動電源オフ方法を提供することを目的とする。
【課題を解決するための手段】
【０００６】
上述した課題を解決し、目的を達成するために、本発明の自動分析装置は、検体と試薬との反応物を測定機構を用いて光学的に分析する自動分析装置であって、該自動分析装置の予定終了時刻を記憶する記憶手段と、前記測定機構の分析後処理の終了を判定する判定手段と、前記判定手段が分析後処理終了と判定したときから所定期間経過後であって、かつ前記記憶手段が記憶する予定終了時刻が経過した場合に、該自動分析装置を電源オフするよう制御する電源制御手段と、を備えることを特徴とする。
【０００７】
また、本発明の自動分析装置は、上記発明において、前記記憶手段は、ユーザの該自動分析装置へのアクセス時刻を記憶し、前記判定手段は、前記測定機構の分析後処理の終了を判定するとともに、前記記憶手段から最新のアクセス時刻を取得して前記アクセス時刻から所定時間経過したか否かを判定し、前記判定手段が前記アクセス時刻から所定時刻経過と判定した後、前記自動分析装置の自動電源オフを出力する出力手段を備え、前記電源制御手段は、前記記憶手段が記憶する予定終了時刻が経過し、かつ、前記出力手段による自動電源オフの出力時から所定期間内にユーザのアクセスがない場合に、該自動分析装置を電源オフするよう制御することを特徴とする。
【０００８】
また、本発明の自動分析システムは、複数の自動分析装置と、前記複数の自動分析装置を接続するよう配置され、検体容器を保持するラックを前記各自動分析装置に搬送する検体搬送システムとを備え、前記ラックを前記検体搬送システムによって各自動分析装置へ搬送し、前記検体容器内の検体を分析する自動分析システムであって、前記各自動分析装置の予定終了時刻を記憶する記憶手段と、前記各自動分析装置の分析後処理の終了を判定する判定手段と、前記判定手段が分析後処理終了と判定したときから所定期間経過後であって、かつ前記記憶手段が記憶する予定終了時刻が経過した場合に、該自動分析装置を個別に電源オフするよう制御する電源制御手段と、を備えることを特徴とする。
【０００９】
また、本発明の自動分析システムは、上記発明において、前記記憶手段は、ユーザの前記各自動分析装置へのアクセス時刻を個別に記憶し、前記判定手段は、前記各自動分析装置の分析後処理の終了を判定するとともに、前記記憶手段から最新のアクセス時刻を取得して、前記アクセス時刻から所定時間経過したか否かを判定し、前記判定手段が前記アクセス時刻から所定時刻経過と判定した後、前記各自動分析装置の自動電源オフを出力する出力手段を備え、前記電源制御手段は、前記記憶手段が記憶する予定終了時刻が経過し、かつ、前記出力手段による自動電源オフの出力時から所定期間内にユーザのアクセスがない場合に、前記各自動分析装置を個別に電源オフするよう制御することを特徴とする。
【００１０】
また、本発明の自動分析システムは、上記発明において、前記予定終了時刻は、自動分析装置毎および／または曜日毎に設定されることを特徴とする。
【００１１】
また、本発明の自動分析システムは、上記発明において、前記各自動分析装置は同一の分析項目を分析対象とし、予定終了時刻が同一時刻に設定されている自動分析システムであって、前記各自動分析装置は、前記検体搬送システムから搬送される前記ラックを検体分注位置に引き込むラック引き込み部と、前記ラック引き込み部入り口に設置され、前記検体容器に付された情報記憶媒体を読み込む読取装置と、をそれぞれ備え、該自動分析システムは、前記各読取装置が読み取ったラック引き込み部で待機する分注待ちの検体数および総分析項目数から各自動分析装置の分注所要時刻を算出する算出手段と、前記算出手段が算出した分注所要時刻が最大の自動分析装置への前記ラックの搬送を停止するよう制御する検体搬送制御部と、を備えることを特徴とする。
【００１２】
また、本発明の自動分析装置の自動電源オフ方法は、検体と試薬との反応物を測定機構を用いて光学的に分析する自動分析装置の自動電源オフ方法であって、前記測定機構の分析後処理の終了を判定する第１判定ステップと、前記判定手段が分析後処理終了と判定したときから所定期間経過後であって、かつ記憶手段に記憶された予定終了時刻が経過した場合に、前記自動分析装置を電源オフするよう制御する制御ステップと、を含むことを特徴とする。
【００１３】
また、本発明の自動分析装置の自動電源オフ方法は、上記発明において、前記第１判定ステップが分析後処理終了と判定後、ユーザが前記自動分析装置にアクセスした最新のアクセス時刻を前記記憶手段から取得する取得ステップと、前記アクセス時刻から所定時間経過したか否かを判定する第２判定ステップと、前記第２判定ステップが所定時間経過と判定後、前記自動分析装置の電源オフを出力する出力ステップと、を含み、前記制御ステップは、前記記憶手段が記憶する予定終了時刻が経過し、かつ、前記出力ステップでの電源オフの出力時から所定期間内にユーザからのアクセスがない場合に、前記自動分析装置を電源オフするよう制御することを特徴とする。
【００１４】
また、本発明の自動分析システムの自動電源オフ方法は、複数の自動分析装置と、前記複数の自動分析装置を接続するよう配置され、検体容器を保持するラックを前記各自動分析装置に搬送する検体搬送システムとを備え、前記ラックを前記検体搬送システムによって各自動分析装置へ搬送し、前記検体容器内の検体を分析する自動分析システムの自動電源オフ方法であって、前記各自動分析装置の分析後処理の終了を判定する第１判定ステップと、前記判定手段が分析後処理終了と判定したときから所定期間経過後であって、かつ記憶手段に記憶された予定終了時刻が経過した場合に、前記各自動分析装置を個別に電源オフするよう制御する制御ステップと、を含むことを特徴とする。
【００１５】
また、本発明の自動分析システムの自動電源オフ方法は、上記発明において、前記第１判定ステップが分析後処理終了と判定後、ユーザが前記各自動分析装置にアクセスした最新のアクセス時刻を前記記憶手段から取得する取得ステップと、前記アクセス時刻から所定時間経過したか否かを判定する第２判定ステップと、前記第２判定ステップが所定時間経過と判定後、前記各自動分析装置の電源オフを出力する出力ステップと、を含み、前記制御ステップは、前記記憶手段が記憶する予定終了時刻が経過し、かつ、前記出力ステップでの電源オフの出力時から所定期間内にユーザからのアクセスがない場合に、前記各自動分析装置を個別に電源オフするよう制御することを特徴とする。
【００１６】
また、本発明の自動分析システムの自動電源オフ方法は、上記発明において、前記第１判定ステップ、前記取得ステップ、前記第２判定ステップ、前記出力ステップ、および前記制御ステップが、自動分析装置毎に繰り返されることと特徴とする。
【００１７】
また、本発明の自動分析システムの自動電源オフ方法は、上記発明において、前記予定終了時刻は、自動分析装置毎および／または曜日毎に設定されることを特徴とする。
【００１８】
また、本発明の自動分析システムの自動電源オフ方法は、上記発明において、前記各自動分析装置は同一の分析項目を分析対象とし、予定終了時刻が同一時刻に設定されている自動分析装置の自動電源オフ方法であって、前記各自動分析装置のラック引き込み部入口において、前記検体容器に付された情報記憶媒体を読み込む読取ステップと、前記読取ステップで読み取った前記ラック引き込み部で待機する分注待ちの検体数および総分析項目数から、各自動分析装置の分注所要時刻を算出する算出ステップと、前記算出ステップが算出した分注所要時刻が最大の自動分析装置への前記ラックの搬送を停止するよう制御する検体搬送制御ステップと、を含むことを特徴とする。
【発明の効果】
【００１９】
本発明によれば、オペレータの立会いなく自動で電源オフすることができるので、オペレータの拘束時刻を大幅に低減できるという効果を奏する。
【発明を実施するための最良の形態】
【００２０】
以下、添付した図面を参照して、本発明の自動分析装置とその自動電源オフ方法について、血液などの液体検体をサンプルとして分析する自動分析装置を例に説明する。以下の説明で参照する図面は模式的なものであって、同じ物体を異なる図面で示す場合には、寸法や縮尺等が異なる場合もある。なお、この実施の形態によりこの発明が限定されるものではない。また、図面の記載において、同一部分には同一の符号を付している。
【００２１】
（実施の形態１）
図１は、実施の形態１にかかる自動分析装置１の構成を示す模式図である。図１に示すように、自動分析装置１は、分析対象である検体および試薬を反応容器５にそれぞれ分注し、分注した反応容器５内で生じる反応を光学的に測定する測定機構４０と、測定機構４０を含む自動分析装置１全体の制御を行うとともに測定機構４０における測定結果の分析を行う制御機構５０とを備える。自動分析装置１は、これらの二つの機構が連携することによって複数の検体の生化学的、免疫学的あるいは遺伝学的な分析を自動的に行う。
【００２２】
測定機構４０は、大別して、第１試薬庫２と、第２試薬庫３と、反応テーブル４と、第１試薬分注装置６と、第２試薬分注装置７と、検体容器移送部８と、分析光学系１１と、洗浄機構１２と、第１攪拌装置１３と、第２攪拌装置１４と、検体分注装置２０とを備えている。
【００２３】
第１試薬庫２は、図１に示すように、第１試薬を収容する試薬容器２ａが周方向に複数配置され、駆動手段（図示せず）により回転されて試薬容器２ａを周方向に搬送する。複数の試薬容器２ａは、それぞれ検査項目に応じた試薬が満たされ、外面には収容した試薬の種類、ロット及び有効期限等の情報を記録した情報記録媒体（図示せず）が貼付されている。ここで、第１試薬庫２の外周には、試薬容器２ａに貼付した情報記録媒体に記録された試薬情報を読み取り、制御部１５へ出力する読取装置１０ａが設置されている。第１試薬庫２の上方には、試薬の蒸発や変性を抑制するため、開閉自在な蓋（図示せず）が設けられており、第１試薬庫２の下方には試薬冷却用の恒温槽（図示せず）が設けられている。
【００２４】
第２試薬庫３は、図１に示すように、第２試薬を収容する試薬容器３ａが周方向に複数配置され、第１試薬庫２と同様に、駆動手段（図示せず）により回転されて試薬容器３ａを周方向に搬送する。複数の試薬容器３ａは、それぞれ検査項目に応じた試薬が満たされ、外面には収容した試薬の種類、ロット及び有効期限等の情報を記録した情報記録媒体（図示せず）が貼付されている。ここで、第２試薬庫３の外周には、試薬容器３ａに貼付した情報記録媒体に記録された試薬情報を読み取り、制御部１５へ出力する読取装置１０ｂが設置されている。第２試薬庫３の上方には、試薬の蒸発や変性を抑制するため、開閉自在な蓋（図示せず）が設けられており、第２試薬庫３の下方には試薬冷却用の恒温槽（図示せず）が設けられている。
【００２５】
第１試薬分注装置６は、鉛直方向への昇降および自身の基端部を通過する鉛直線を中心軸とする回転を自在に行なうアーム６ａを備える。このアーム６ａの先端部には、検体の吸引および吐出を行なうプローブ６ｂが取り付けられている。第１試薬分注装置６は、図示しない吸排シリンジまたは圧電素子を用いた吸排機構を備える。第１試薬分注装置６は、上述した第１試薬庫２上の所定位置に移送された試薬容器２ａの中からプローブ６ｂによって第１試薬を吸引し、アーム６ａを図中時計回りに旋回させ、反応容器５に第１試薬を吐出して分注を行なう。また、プローブ６ｂの回動軌跡上には、洗浄水によってプローブ６ｂを洗浄する洗浄槽６ｄが設置される。
【００２６】
第２試薬分注装置７は、鉛直方向への昇降および自身の基端部を通過する鉛直線を中心軸とする回転を自在に行なうアーム７ａを備える。このアーム７ａの先端部には、検体の吸引および吐出を行なうプローブ７ｂが取り付けられている。第２試薬分注装置７は、図示しない吸排シリンジまたは圧電素子を用いた吸排機構を備える。第２試薬分注装置７は、上述した第２試薬庫３上の所定位置に移送された試薬容器３ａの中からプローブ７ｂによって第２試薬を吸引し、アーム７ａを図中反時計回りに旋回させ、反応容器５に第２試薬を吐出して分注を行なう。また、プローブ７ｂの回動軌跡上には、洗浄水によってプローブ７ｂを洗浄する洗浄槽７ｄが設置される。
【００２７】
反応テーブル４は、図１に示すように、複数の反応容器５が周方向に沿って配列されており、第１および第２試薬庫２、３を駆動する駆動手段とは異なる駆動手段（図示せず）によって矢印で示す方向に回転されて反応容器５を周方向に移動させる。反応テーブル４は、光源１１ａと分光部１１ｂとの間に配置され、反応容器５を保持する保持部４ａと光源１１ａが出射した光束を分光部１１ｂへ導く円形の開口からなる光路４ｂとを有している。保持部４ａは、反応テーブル４の外周に周方向に沿って所定間隔で配置され、保持部４ａの内周側に半径方向に延びる光路４ｂが形成されている。反応テーブル４の上方には開閉自在な蓋（図示せず）が、下方には検体と試薬の反応を促進させる温度に加温するための恒温槽（図示せず）がそれぞれ設けられている。
【００２８】
反応容器５は、分析光学系１１から出射された分析光（３４０〜８００ｎｍ）に含まれる光の８０％以上を透過する光学的に透明な素材、例えば、耐熱ガラスを含むガラス、環状オレフィンやポリスチレン等によって四角筒状に成形されたキュベットと呼ばれる容器である。
【００２９】
分析光学系１１は、試薬と検体とが反応した反応容器５内の液体試料に分析光（３４０〜８００ｎｍ）を透過させて分析するための光学系であり、光源１１ａ、分光部１１ｂ及び受光部１１ｃを有している。光源１１ａから出射された分析光は、反応容器５内の液体試料を透過し、分光部１１ｂと対向する位置に設けた受光部１１ｃによって受光される。
【００３０】
第１攪拌装置１３および第２攪拌装置１４は、分注された検体と試薬とを攪拌棒１３ａ、１４ａによって攪拌し、反応を均一化させる。
【００３１】
検体容器移送部８は、図１に示すように、配列された複数のラック９を矢印方向に沿って１つずつ歩進させながら移送する。ラック９は、検体を収容した複数の検体容器９ａを保持している。ここで、検体容器９ａは、収容した検体の情報を記録した情報記録媒体（図示せず）が貼付され、検体容器移送機構８によって移送されるラック９の歩進が停止するごとに、検体分注装置２０によって検体が各反応容器５へ分注される。検体分注装置２０は、水平面内を回動すると共に、上下方向に昇降されるアーム２０ａに試薬を分注する分注プローブ２０ｂが設けられる。ここで、ラックの近傍には、検体容器９ａに貼付された情報記録媒体に記録された、検体情報や検体容器９ａの容器情報を読み取り、制御部１５へ出力する読取装置１０ｃが設置されている。
【００３２】
検体分注装置２０は、鉛直方向への昇降および自身の基端部を通過する鉛直線を中心軸とする回転を自在に行なうアーム２０ａを備える。このアーム２０ａの先端部には、検体の吸引および吐出を行なうプローブ２０ｂが取り付けられている。検体分注装置２０は、図示しない吸排シリンジまたは圧電素子を用いた吸排機構を備える。検体分注装置２０は、後述する検体容器移送部８により分注位置に移送された検体容器９ａの中からプローブ２０ｂによって検体を吸引し、アーム２０ａを図中時計回りに旋回させ、反応容器５に検体を吐出して分注を行なう。また、プローブ２０ｂの回動軌跡上には、洗浄水によってプローブ２０ｂを洗浄する洗浄槽２０ｄが設置される。
【００３３】
洗浄機構１２は、複数の洗浄ノズルを備え、吸引ノズルによって分析光学系１１による測定が終了した反応容器５内の反応液を吸引して排出するとともに、吐出ノズルにより洗剤や洗浄水等の洗浄液を注入し、乾燥することで洗浄を行なう。洗浄した反応容器５は再利用される。
【００３４】
つぎに、制御機構５０について説明する。制御機構５０は、制御部１５と、入力部１６と、出力部１７と、分析部１８と、記憶部１９と、電源制御部２１と、判定部２２とを備える。制御部１５は、測定機構４０および制御機構５０が備える各部と接続される。これら各部の作動を制御するため、制御部１５には、マイクロコンピュータ等が使用される。制御部１５は、これらの各構成部位に入出力される情報について所定の入出力制御を行い、かつ、この情報に対して所定の情報処理を行う。制御部１５は、自動分析装置１の各部の作動を制御すると共に、情報記録媒体から読み取った情報に基づき、試薬の有効期限等が設置範囲外の場合、分析作業を停止するように自動分析装置１を制御し、或いはオペレータに警告を発する。制御部１５は、検体容器移送部８の作動を制御する搬送制御部としての機能も備えている。
【００３５】
入力部１６は、キーボード、マウス等を用いて構成され、検体の分析に必要な諸情報や分析動作の指示情報等を外部から取得する。出力部１７は、プリンタ、通信機構等を用いて構成され、検体の分析結果を含む諸情報を出力し、ユーザに報知する。分析部１８は、分析光学系１１から取得した測定結果に基づいて吸光度等を演算し、検体の成分分析等を行う。記憶部１９は、情報を磁気的に記憶するハードディスクと、自動分析装置１が処理を実行する際にその処理にかかわる各種プログラムをハードディスクからロードして電気的に記憶するメモリとを用いて構成され、検体の分析結果等を含む諸情報を記憶する。記憶部１９は、ＣＤ−ＲＯＭ、ＤＶＤ−ＲＯＭ、ＰＣカード等の記憶媒体に記憶された情報を読み取ることができる補助記憶装置を備えてもよい。また、記憶部１９は、ユーザが設定した自動分析装置１の予定終了時刻を記憶するとともに、ユーザの自動分析装置１へのアクセス時刻を記憶する。ここで、アクセス時刻は、入力部１６を介してユーザが自動分析装置１の測定機構４０または制御機構５０にアクセスした時刻であり、当該アクセス時刻は所定期間記憶部１９に保存される。予定終了時刻は、勤務終了時刻や曜日毎の稼働時刻を基にユーザにより事前に設定される。
【００３６】
判定部２２は、測定機構４０の分析後処理の終了を判定するとともに、記憶部１９から最新のアクセス時刻を取得して、前記アクセス時刻から所定時間経過したか否かについて判定する。測定機構４０の分析後処理の終了判定は、まず、分析終了を確認し、その後、分析結果の出力が終了しているか、および分析終了後の反応容器５の洗浄が終了したかについて行なう。判定部２２がアクセス時刻から所定時刻経過と判定した後、出力部１７は自動分析装置１の自動電源オフを出力して、ユーザに自動分析装置１の自動電源オフを報知する。電源制御部２１は、記憶部１９が記憶する予定終了時刻が経過し、かつ、出力部１７による自動電源オフの出力時から所定期間内にユーザのアクセスがない場合に、自動分析装置１を電源オフするよう制御する。
【００３７】
以上のように構成された自動分析装置１では、列をなして順次搬送される複数の反応容器５に対して、第１試薬分注装置６が試薬容器２ａ中の第１試薬を分注した後、検体分注装置２０が検体容器９ａ中の検体を分注し、さらに第２試薬分注装置７が試薬容器３ａ中の第２試薬を分注して、分析光学系１１が検体と試薬とを反応させた状態の試料の分光強度測定を行い、この測定結果を分析部１８が分析することで、検体の成分分析等が自動的に行われる。また、洗浄機構１２が分析光学系１１による測定が終了した後に反応容器５を搬送させながら洗浄することで、一連の分析動作が連続して繰り返し行われる。
【００３８】
つぎに、実施の形態１にかかる自動分析装置１の自動電源オフ処理について、図２を参照して説明する。図２は、実施の形態１にかかる自動分析装置１の自動電源オフ処理のフローチャートである。
【００３９】
実施の形態１にかかる自動分析装置１の自動電源オフ処理は、図示しないタイマによりタイマ監視を行い（ステップＳ１００）、所定時刻毎に（ステップＳ１００：Ｙｅｓ）、電源制御部２１は予定終了時刻が経過したか否かの確認処理を行なう（ステップＳ１０１）。予定時刻終了時刻は、ユーザの勤務時刻、季節、曜日毎の検査量に基づき予め設定され、記憶部１９に記憶される。電源制御部２１が予定終了時刻を経過していないと判定した場合は（ステップＳ１０１：Ｎｏ）、さらにタイマ監視が行なわれ（ステップＳ１００）、タイマで設定される時間毎に予定終了時刻を経過したか否かの判定が続行される（ステップＳ１０１）。
【００４０】
電源制御部２１が予定終了時刻を経過したと判定した場合は（ステップＳ１０１：Ｙｅｓ）、タイマ監視は終了し、その後、判定部２２は測定機構４０での検体分析が終了したか否かを確認する（ステップＳ１０２）。分析が終了していない場合は（ステップＳ１０２：Ｎｏ）、検体の分析が続行され（ステップＳ１０３）、分析終了が確認された場合（ステップＳ１０２：Ｙｅｓ）、判定部２２は分析結果が出力部１７により出力されたか否かを確認する（ステップＳ１０４）。分析結果の出力が終了していない場合は（ステップＳ１０４：Ｎｏ）、分析結果が出力され（ステップＳ１０５）、分析結果の出力が終了している場合は（ステップＳ１０４：Ｙｅｓ）、判定部２２はさらに分析後洗浄が終了しているか否かを確認する（ステップＳ１０６）。分析後洗浄は、反応容器５の洗浄機構１２による洗浄である。分析後洗浄が終了していない場合は（ステップＳ１０６：Ｎｏ）、洗浄機構１２により反応容器５の分析後洗浄が実施される（ステップＳ１０７）。
【００４１】
分析後洗浄が終了している場合（ステップＳ１０６：Ｙｅｓ）、判定部２２は、記憶部１９に格納されるユーザの自動分析装置１への最新のアクセス時刻を取得する（ステップＳ１０８）。判定部２２は、さらに取得した最新のアクセス時刻から所定時刻経過したか否かを判定する（ステップＳ１０９）。判定部２２が最新のアクセス時刻から所定時間未経過と判定する場合は（ステップＳ１０９：Ｎｏ）、所定時間経過するまで待機し、判定部２２が最新のアクセス時刻から所定時間経過と判定した後（ステップＳ１０９：Ｙｅｓ）、出力部１７は自動分析装置１の電源をオフする旨出力する（ステップＳ１１０）。自動電源オフをユーザに報知することにより、ユーザに電源オフの可否の判断の機会を付与するものである。電源オフの出力後、所定期間内にユーザからアクセスされたか否かを確認し（ステップＳ１１１）、アクセスがない場合には（ステップＳ１１１：Ｎｏ）、電源制御部２１は自動分析装置１の電源をオフする（ステップＳ１１２）。ユーザのアクセスがあった場合には（ステップＳ１１１：Ｙｅｓ）、自動電源オフ処理は終了となり、ユーザが手動で自動分析装置１の電源をオフする。
【００４２】
実施の形態１にかかる自動分析装置１は、上記の自動電源オフ処理を行うことによりユーザに指示の有無にかかわらず自動で電源オフできるので、自動分析装置１の電源オフ処理に要する立会時刻を大幅に短縮することができる。また、自動電源オフ処理の開始後であっても自動電源オフ処理のキャンセルは可能であるため、追加の分析処理や再検等が発生した場合の対応も容易に行なうことができる。
【００４３】
また、図３に示すように、分析後洗浄の終了が確認された後（ステップＳ２０６：Ｙｅｓ）、または洗浄機構１２により反応容器５の分析後洗浄が実施された後（ステップＳ２０７）に、自動分析装置１の電源オフまでに要される所定時間後、自動的に電源オフする処理が実施の形態１の変形例として例示される。本変形例では、分析後処理の最終工程である分析後洗浄の終了後、電源制御部２１は該分析後洗浄から所定期間経過したか否かを確認し（ステップＳ２０８）、所定時間経過後、自動分析装置１の電源を自動的にオフする。本変形例によっても、ユーザの立会いを要することなく自動分析装置の電源オフを行うことができ、ユーザの拘束時間を大幅に低減することが可能である。
【００４４】
（実施の形態２）
実施の形態２は、複数の異なる自動分析装置と、前記各自動分析装置に検体容器を保持するラックを搬送する検体搬送システムとを備える自動分析システム１００とその電源オフ方法に関する。図４は、実施の形態２の自動分析システム１００の概略構成を示す平面図である。ここで、以下の説明においては、実施の形態１の自動分析装置１と同一の構成要素には原則として同一の符号を使用している。
【００４５】
自動分析システム１００は、図４に示すように、開栓装置３１と、遠心分離機３２と、自動分析装置１Ａ、１Ｂとを検体搬送システム３３で連結したものである。なお、自動分析装置の数は、２台に限らず、３台以上であってもよい。検体容器９ａを保持するラック９は、検体搬入・排出口３０により検体搬送システム３３内に供給される。検体搬入・排出口３０には、図示しない情報読取装置が設置され、検体容器９ａに貼付した検体情報記録媒体から検体情報を読み取り、中央制御装置３４に読み取った検体情報を送信し、当該検体情報と中央制御装置３４に格納される当該検体の分析情報とに基づき、検体搬送制御部３５はラック９を検体搬送システム３３により所定の場所に搬送する。検体搬送システム３３は、例えば、ベルトコンベアから構成され、図４に示すように、検体搬入・排出口３０により検体搬送システム３３内に導入された複数の検体容器９ａを保持したラック９を、まず、開栓装置３１に搬送して、検体容器９ａの密封用のキャップを開栓する。開栓装置３１での開栓処理の後、ラック９を遠心分離機３２に搬送して、遠心分離処理を行なう。遠心分離処理は、血液検体について遠心分離によって血漿（血清）／血球に分離する処理であり、分析項目に応じて全血検体以外の血漿検体（血清検体）や血球検体を分析対象とする分析項目の分析の際に必要な処理である。したがって、血液以外の尿等の検体については、遠心分離機３２による遠心分離処理を行なわないよう制御してもよい。
【００４６】
遠心分離処理が行なわれた検体を保持するラック９は、自動分析装置１Ａまで搬送されて分析が行われる。実施の形態２にかかる自動分析装置１Ａは、検体の生化学的、免疫学的あるいは遺伝学的な分析を自動的に行う装置であって、自動分析装置１Ｂとは異なる分析装置、または同種の分析装置であるが、分析対象（分析項目）を異にする自動分析装置である。遠心分離処理後のラック９は、検体搬送システム３３により自動分析装置１Ａまで搬送され、ラック回転機構３３ｄにより回転された後、図示されない押し出し部により押し出されてラック引き込み部２４Ａに搬送される。ラック引き込み部２４Ａ入り口には情報読取装置１０Ａが設置され、情報読取装置１０Ａは、検体容器９ａに貼付した検体情報記録媒体から検体情報を再度読取り、読み取った検体情報を中央制御装置３４へ出力する。ラック９は、ラック引き込み部２４Ａ内に搬送された後、検体分注装置２０により検体が吸引される。反応テーブル４が収容する図示しない反応容器に検体は吐出され、第１試薬分注装置６、第２試薬分注装置により第１試薬庫２、第２試薬庫内の試薬がそれぞれ前記反応容器に分注されて、自動分析装置１Ａ内で分析が行われる。自動分析装置１Ａの制御部１５は、中央制御装置３４からの指示を受けて自動分析装置１Ａ全体の動作を制御し、自動分析装置１Ａにおける測定項目、測定結果等を含む測定データを中央制御装置３４へ出力する。
【００４７】
自動分析装置１Ａにおけるラック９に保持される検体容器９ａ内の検体を対象とする分注終了後、ラック９はラック引き込み部２４Ａから検体搬送システム３３に戻されて、自動分析装置１Ｂに搬送される。実施の形態２にかかる自動分析装置１Ｂは、検体の生化学的、免疫学的あるいは遺伝学的な分析を自動的に行う装置であって、自動分析装置１Ａとは異なる分析装置、または同種の分析装置であるが分析対象を異にする自動分析装置である。検体搬送システム３３により自動分析装置１Ｂまで搬送後、ラック回転機構３３ｅにより回転された後、図示されない押し出し部により押し出されてラック引き込み部２４Ｂに搬送される。ラック引き込み部２４Ｂ入り口には情報読取装置１０Ｂが設置され、情報読取装置１０Ｂは、検体容器９ａに貼付した検体情報記録媒体から検体情報を再度読取り、読み取った検体情報を中央制御装置３４に出力する。ラック９は、ラック引き込み部２４Ｂ内に搬送された後、検体分注装置２０により検体が吸引される。反応テーブル４が収容する図示しない反応容器に検体は吐出され、第１試薬分注装置６、第２試薬分注装置により第１試薬庫２、第２試薬庫内の試薬がそれぞれ前記反応容器に分注されて、自動分析装置１Ｂ内で分析が行われる。自動分析装置１Ｂの制御部１５は、中央制御装置３４からの指示を受けて自動分析装置１Ｂ全体の動作を制御し、自動分析装置１Ｂにおける測定項目、測定結果等を含む測定データを中央制御装置３４へ出力する。
【００４８】
自動分析装置１Ｂにおけるラック９に保持される検体容器９ａ内の検体を対象とする分注終了後、ラック９はラック引き込み部２４Ｂから検体搬送システム３３に戻されて、検体搬入・排出口３０に搬送され、排出される。
【００４９】
中央制御装置３４は、自動分析システム１００全体を制御するパーソナルコンピュータであり、入力部１６、出力部１７、記憶部１９、検体搬送制御部３５、電源制御部２１および判定部２２を有している。入力部１６は、自動分析システム１００へ分析操作に関連した分析項目等を含む種々の情報を入力する、例えば、キーボードやマウス等が使用される。出力部１７は、自動分析装置１Ａおよび１Ｂの自動電源オフを出力するほか、自動分析システム１００での分析操作に関連した分析内容，分析結果或いは警報等の種々の情報を出力する。中央制御装置３４は、検体搬入・排出口３０内に設置される図示しない情報読取装置により読み取られたラック情報および検体情報に基づいてラック９を搬送すべきルート（前処理装置および自動分析装置）を決定し、当該決定に基づき、検体搬送制御部３５は検体搬送システム３３によるラック９の搬送を制御する。記憶部１９には、自動分析装置毎に設定された予定終了時刻とユーザの各自動分析装置へのアクセス時刻が記憶される。判定部２２は、自動分析装置１Ａおよび１Ｂの分析後処理の終了を判定するとともに、記憶部１９から最新のアクセス時刻を取得して、前記アクセス時刻から所定時間経過したか否かについて判定する。電源制御部２１は、記憶部１９が記憶する予定終了時刻が経過し、かつ、出力部１７による各自動分析装置の電源オフの出力時から所定期間内にユーザのアクセスがない場合に、各自動分析装置を個別に電源オフするよう制御する。
【００５０】
つぎに、実施の形態２にかかる自動分析装置１の自動電源オフ処理について、図５および図６を参照して説明する。図５は、自動分析装置１Ａの終了予定時刻設定画面の表示例である。図６は、実施の形態２にかかる自動分析システム１００における自動分析装置１Ａ、１Ｂの自動電源オフ処理のフローチャートである。
【００５１】
図６に示すように、実施の形態２にかかる自動分析システム１００の自動電源オフ処理において、まず、電源制御部２１は、記憶部１９に記憶された各自動分析装置の予定終了時刻および電源オフ情報を取得する（ステップＳ３００）。電源オフ情報とは、図５に示す終了予定時刻設定画面において、ユーザがスタンバイまたは電源オフのどちらを選択したかについての情報である。前記情報取得後、図示しないタイマによりタイマ監視を行い（ステップＳ３０１）、所定時刻毎に（ステップＳ３０１：Ｙｅｓ）、電源制御部２１は各自動分析装置の予定終了時刻が経過したか否かの確認処理を行なう（ステップＳ３０２）。電源制御部２１が予定終了時刻を経過していないと判定した場合は（ステップＳ３０２：Ｎｏ）、さらにタイマ監視が行なわれ（ステップＳ３０１）、タイマで設定される時間毎に予定終了時刻を経過したか否かの判定が続行される（ステップＳ３０２）。
【００５２】
電源制御部２１が予定終了時刻を経過したと判定した場合（ステップＳ３０２：Ｙｅｓ）、電源制御部２１は、電源オフ処理の対象となる自動分析装置の未分析検体について、該自動分析装置の制御部１５および検体搬送制御部３５に問い合わせる（ステップＳ３０３）。ここで、たとえば、自動分析装置１Ａの予定終了時刻が経過した場合、電源制御部２１は、自動分析装置１Ａの制御部１５からラック引き込み部２４Ａ内の分注待ち検体の検体情報および分析情報を取得するとともに、検体搬送制御部３５から自動分析装置１Ａに搬送予定の検体の検体情報を取得する。取得した情報をもとに、判定部２２は、自動分析装置１Ａの分析が終了したか否かを判定する（ステップＳ３０４）。分析が終了していないと判定した場合は（ステップＳ３０４：Ｎｏ）、分析を続行する（ステップＳ３０５）。分析が終了したと判定した場合（ステップＳ３０４：Ｙｅｓ）、判定部２２は、分析結果が出力部１７より出力されたか否かを確認し（ステップＳ３０６）、分析結果の出力が終了していない場合は（ステップＳ３０６：Ｎｏ）、分析結果が出力される（ステップＳ３０７）。分析結果の出力が終了している場合は（ステップＳ３０６：Ｙｅｓ）、判定部２２は、分析後洗浄が終了しているか否かをさらに確認する（ステップＳ３０８）。分析後洗浄が終了していない場合は（ステップＳ３０８：Ｎｏ）、分析後洗浄が実施される（ステップＳ３０９）。
【００５３】
分析後洗浄が終了している場合（ステップＳ３０８：Ｙｅｓ）、電源制御部２１は、ステップＳ３００で取得した情報が電源オフの選択がされているか否かを確認する（ステップＳ３１０）。スタンバイが選択されている場合は（ステップＳ３１０：Ｎｏ）、ステップＳ３１６に移行し、ユーザの指示するように自動分析装置１Ａはスタンバイ状態となる。電源オフが選択されている場合は（ステップＳ３１０：Ｙｅｓ）、判定部２２は、記憶部１９に格納されるユーザの自動分析装置１Ａへの最新のアクセス時刻を取得し（ステップＳ３１１）、取得した最新のアクセス時刻から所定時間経過したか否かを判定する（ステップＳ３１２）。判定部２２により最新のアクセス時刻から所定時間未経過と判定された場合は（ステップＳ３１２：Ｎｏ）、所定時刻経過するまで待機し、判定部２２が最新のアクセス時刻から所定時間経過と判定後（ステップＳ３１２：Ｙｅｓ）、出力部１７は自動分析装置１Ａの電源をオフする旨出力する（ステップＳ３１３）。自動電源オフをユーザに報知することにより、ユーザに電源オフの可否の判断の機会を付与する。最終的に電源オフの可否の判断の機会を付与することにより、メンテナンスや再分析等の必要性が事後的に発生した場合でも、容易に対処できるものである。電源オフの出力後、電源制御部２１は所定期間内にユーザからアクセスされたか否かを確認し（ステップＳ３１４）、アクセスがない場合には（ステップＳ３１４：Ｎｏ）、電源制御部２１は自動分析装置１Ａの電源をオフする（ステップＳ３１５）。ユーザのアクセスがあった場合には（ステップＳ３１４：Ｙｅｓ）、自動電源オフ処理ではなくユーザの手動により電源オフされるほか、メンテナンスや再分析等の処理終了後、再度自動電源オフ処理を行ってもよい。
【００５４】
その後、電源制御部２１は、すべての自動分析装置について電源オフ処理を終了したか否かを確認し（ステップＳ３１６）、すべての自動分析装置について電源オフ処理がされていない場合は（ステップＳ３１６：Ｎｏ）、電源オフ処理されていない自動分析装置についてステップＳ３０２から処理を繰り返す。すべての自動分析装置について電源オフ処理が終了した場合は（ステップＳ３１６：：Ｙｅｓ）、自動分析システム１００の自動電源オフ処理を終了する。
【００５５】
実施の形態２にかかる自動分析システム１００は、各自動分析装置について個別に自動電源オフできるので、各自動分析装置の設置場所まで往復して電源オフ操作する煩雑さを解消でき、電源オフ操作のためのユーザの拘束時間を短縮することができる。また、自動分析装置毎に稼働状況を考慮した予定終了時刻を設定でき、予定終了時刻が経過した自動分析装置から自動で電源オフすることができるので、消費電力の効率的な削減が可能となる。
【００５６】
（実施の形態３）
実施の形態３は、複数の同一の分析項目を分析対象とする自動分析装置と、前記各自動分析装置に検体容器を保持するラックを搬送する検体搬送システムとを備える自動分析システム２００とその電源オフ方法に関する。図７は、実施の形態３の自動分析システム２００の概略構成を示す平面図である。実施の形態３の自動分析システム２００は、実施の形態２にかかる自動分析システム１００の自動分析装置１Ａ、１Ｂが同種である以外は実施の形態２の自動分析システム１００と同様の構成を備える。
【００５７】
実施の形態３にかかる自動分析システム２００の自動電源オフ処理について、図８を参照して説明する。図８は、実施の形態３にかかる自動分析システム２００における自動分析装置１Ａ、１Ｂの自動電源オフ処理のフローチャートである。
【００５８】
実施の形態３にかかる自動分析システム２００の自動電源オフ処理において、まず、電源制御部２１は、記憶部１９に記憶された各自動分析装置の予定終了時刻および電源オフ情報を取得する（ステップＳ４００）。電源オフ情報とは、図５に示す終了予定時刻設定画面において、ユーザがスタンバイまたは電源オフのどちらを選択したかについての情報である。前記情報取得後、図示しないタイマによりタイマ監視を行い（ステップＳ４０１）、所定時刻毎に（ステップＳ４０１：Ｙｅｓ）、電源制御部２１は各自動分析装置の予定終了時刻が経過したか否かの確認処理を行なう（ステップＳ４０２）。電源制御部２１が予定終了時刻を経過していないと判定した場合は（ステップＳ４０２：Ｎｏ）、さらにタイマ監視が行なわれ（ステップＳ４０１）、タイマで設定される時間毎に予定終了時刻を経過したか否かの判定が続行される（ステップＳ４０２）。
【００５９】
電源制御部２１が予定終了時刻を経過したと判定した場合（ステップＳ４０２：Ｙｅｓ）、電源制御部２１は、自動電源オフ処理の対象外の他の自動分析装置が稼働中であるか否かを確認する（ステップＳ４０３）。ここで、たとえば、自動分析装置１Ａの予定終了時刻が経過した場合、自動分析装置１Ｂが稼働中か否か（電源オフ処理終了したか否か）を確認する。自動分析装置１Ｂが稼働中である場合は（ステップＳ４０３：Ｙｅｓ）、検体搬送制御部３５は自動分析装置１Ａへの検体搬送を停止する（ステップＳ４０４）。ここで、予定終了時刻がより遅く設定され、稼働中の自動分析装置がシステム内に存在する場合には、稼働中の予定終了時刻が遅く設定されている自動分析装置に検体を振り分けることにより、自動分析装置の電源オフを、設定した予定終了時刻に遅れることなく行うことができる。これにより、１日の分析検体数が時刻により変動し、時刻ごとの処理量が把握できる場合などに、稼動させる自動分析装置数を自動電源オフ処理により調整できるので、消費電力の効率的な削減が可能となる。
【００６０】
一方、自動分析装置１Ｂが電源オフ処理されている場合は（ステップＳ４０３：Ｎｏ）、電源制御部２１は、自動分析装置１Ａにおける未分析検体について、自動分析装置１Ａの制御部１５および検体搬送制御部３５に問い合わせる（ステップＳ４０５）。問い合わせは、自動分析装置１Ａの制御部１５から、ラック引き込み部２４Ａ内の分注待ち検体の検体情報および自動分析装置１Ａの分析状況を取得し、検体搬送制御部３５から自動分析装置１Ａに搬送予定の検体の検体情報を取得する。取得した情報をもとに、判定部２２は、自動分析装置１Ａの分析が終了したか否かを判定する（ステップＳ４０６）。分析が終了していないと判定した場合は（ステップＳ４０６：Ｎｏ）、分析を続行する（ステップＳ４０７）。その後、判定部２２は分析結果が出力部１７より出力されたか否かを確認し（ステップＳ４０８）、分析結果の出力が終了していない場合は（ステップＳ４０８：Ｎｏ）、分析結果が出力される（ステップＳ４０９）。分析結果の出力が終了している場合は（ステップＳ４０８：Ｙｅｓ）、判定部２２は分析後洗浄が終了しているか否かをさらに確認する（ステップＳ４１０）。分析後洗浄が終了していない場合は（ステップＳ４１０：Ｎｏ）、分析後洗浄が実施される（ステップＳ４１１）。
【００６１】
分析後洗浄が終了している場合（ステップＳ４１０：Ｙｅｓ）、電源制御部２１は、ステップＳ４００で取得した情報が電源オフの選択がされているか否かを判定する（ステップＳ３１２）。スタンバイが選択されている場合は（ステップＳ３１２：Ｎｏ）、ステップＳ４１８に移行し、ユーザの指示するように自動分析装置１Ａはスタンバイ状態となる。電源オフが選択されている場合は（ステップＳ４１２：Ｙｅｓ）、判定部２２は、記憶部１９に格納されるユーザの自動分析装置１Ａへの最新のアクセス時刻を取得する（ステップＳ４１３）。その後、判定部２２は、取得した最新のアクセス時刻から所定時刻経過したか否かを判定し（ステップＳ４１４）、最新のアクセス時刻から所定時刻未経過である場合は（ステップＳ４１４：Ｎｏ）、所定時刻経過するまで待機し、判定部２２が最新のアクセス時刻から所定時刻経過と判定後（ステップＳ４１４：Ｙｅｓ）、出力部１７により自動分析装置１Ａの電源をオフする旨出力する（ステップＳ４１５）。自動電源オフをユーザに報知することにより、ユーザに電源オフの可否の判断の機会を付与するものである。電源オフの出力後、電源制御部２１は所定期間内にユーザからアクセスされたか否かを確認し（ステップＳ４１６）、アクセスがない場合には（ステップＳ４１６：Ｎｏ）、電源制御部２１は自動分析装置１Ａの電源をオフする（ステップＳ４１７）。ユーザのアクセスがあった場合には（ステップＳ４１６：Ｙｅｓ）、自動電源オフ処理ではなくユーザの手動により電源オフされるほか、メンテナンスや再分析等の処理終了後、再度自動電源オフ処理を行ってもよい。
【００６２】
その後、電源制御部２１は、すべての自動分析装置について電源オフ処理を終了したか否かを確認し（ステップＳ４１８）、すべての自動分析装置について電源オフ処理がされていない場合は（ステップＳ４１８：Ｎｏ）、電源オフ処理されていない自動分析装置についてステップＳ４０２から処理を繰り返す。すべての自動分析装置について電源オフ処理が終了した場合は（ステップＳ４１８：：Ｙｅｓ）、自動分析システム２００の自動電源オフ処理は終了する。
【００６３】
実施の形態３にかかる自動分析システム２００は、各自動分析装置について個別に自動電源オフできるので、各自動分析装置の設置場所まで往復して操作する煩雑さを解消でき、電源オフ操作のためのユーザの拘束時間を短縮することができるだけでなく、１日の分析処理数が予め予測できる場合などに、稼動させる自動分析装置数を自動電源オフ処理により調整できるので、効率的な消費電力の削減が可能となる。
【００６４】
さらに、実施の形態３の自動分析システム２００の変形例として図９に示す自動分析システム３００が例示される。実施の形態３の変形例にかかる自動分析システム３００は、システム内の自動分析装置１Ａ、１Ｂの予定終了時刻が同時刻に設定されている場合に、各装置の分注待ちの検体量を把握し、負荷の大きい自動分析装置への検体搬送を制御して、システム全体として同時刻に分析を終了して自動電源オフ処理を行うものである。図９は、実施の形態３の変形例にかかる自動分析システム３００の概略構成を示す平面図である。
【００６５】
自動分析システム３００は、図９に示すように、中央制御装置３４は算出部２５を備える。算出部２５は、情報読取装置１０Ａ、１０Ｂが読み取ったラック引き込み部２４Ａ、２４Ｂでそれぞれ待機する分注待ちの検体数および総分析項目数から自動分析装置１Ａ、１Ｂの分注所要時刻をそれぞれ算出する。検体搬送制御部３５Ａは、自動分析装置１Ａ、１Ｂの予定終了時刻が同時刻に設定されている場合、分注所要時間が大きい自動分析装置へのラック９の搬送を停止するよう制御する。
【００６６】
実施の形態３の変形例にかかる自動分析システム３００の自動電源オフ処理について、図１０および１１を参照して説明する。図１０は、実施の形態３の変形例にかかる自動分析システム３００における自動分析装置１Ａ、１Ｂの自動電源オフ処理のフローチャートである。図１１は、自動分析装置１Ａの電源オフ処理のフローチャートである。
【００６７】
自動分析システム３００の自動電源オフ処理において、まず、電源制御部２１は、記憶部１９に記憶された予定終了時刻および電源オフ情報を取得する（ステップＳ５００）。ここで、自動分析装置１Ａ、１Ｂの予定終了時刻は同時刻に設定されるものである。また、電源オフ情報とは、図５に示す終了予定時刻設定画面において、ユーザがスタンバイまたは電源オフのどちらを選択したかについての情報である。前記情報取得後、図示しないタイマによりタイマ監視を行い（ステップＳ５０１）、所定時刻毎に（ステップＳ５０１：Ｙｅｓ）、電源制御部２１は予定終了時刻が経過したか否かの確認処理を行なう（ステップＳ５０２）。電源制御部２１が予定終了時刻を経過していないと判定した場合は（ステップＳ５０２：Ｎｏ）、さらにタイマ監視が行なわれ（ステップＳ５０１）、タイマで設定する時間毎に予定終了時刻を経過したか否かの判定が続行される（ステップＳ５０２）。
【００６８】
電源制御部２１が予定終了時刻を経過したと判定した場合（ステップＳ５０２：Ｙｅｓ）、算出部２５は、各自動分析装置の制御部１５と記憶部１９とから、ラック引き込み部２４Ａ、２４Ｂ内の分注待ち検体の検体情報と各検体の分析情報（分析項目数）を取得し、自動分析装置毎に分注所要時間を算出する（ステップＳ５０３）。検体搬送制御部３５Ａは、算出された分注所要時間が大きい自動分析装置へのラック９の搬送を停止するよう制御する（ステップＳ５０４）。その後、電源制御部２１は、自動分析装置１Ａおよび自動分析装置１Ｂの電源オフ処理を並行して行なう（ステップＳ５０５、Ｓ５０６）。
【００６９】
つぎに、自動分析装置１Ａの電源オフ処理について、図１１を参照して説明する。判定部２２は、自動分析装置１Ａにおいて分析が終了したか否かを確認する（ステップＳ６００）。ここで、自動分析装置１Ａのラック引き込み部２４Ａに待機する検体の分注所要時間が自動分析装置１Ｂより大きい場合は、ラック引き込み部２４Ａ内のすべての検体の分析が終了したか否かが確認され、小さい場合は、自動分析装置１Ａのラック引き込み部２４Ａに待機する検体に加え、検体搬入・排出口３０内および検体搬送システム３３内の搬送されていない検体についても自動分析装置１Ａで分析を行うものとして、分析の終了が確認される。分析が終了していない場合は（ステップＳ６００：Ｎｏ）、検体の分析が続行され（ステップＳ６０１）、分析終了が確認された場合（ステップＳ６００：Ｙｅｓ）、判定部２２は、分析結果が出力部１７より出力されたか否かを確認する（ステップＳ６０２）。分析結果の出力が終了していない場合は（ステップＳ６０２：Ｎｏ）、分析結果が出力され（ステップＳ６０３）、分析結果の出力が終了している場合は（ステップＳ６０３：Ｙｅｓ）、判定部２２は分析後洗浄が終了しているか否かをさらに確認する（ステップＳ６０４）。分析後洗浄が終了していない場合は（ステップＳ６０４：Ｎｏ）、分析後洗浄が実施される（ステップＳ６０５）。
【００７０】
分析後洗浄が終了している場合（ステップＳ６０５：Ｙｅｓ）、ステップＳ５００で取得した情報が電源オフの選択がされているか否かを判定する（ステップＳ６０６）。スタンバイが選択されている場合は（ステップＳ６０６：Ｎｏ）、その後の処理は省略され、自動分析装置１Ａはスタンバイ状態となる。電源オフが選択されている場合は（ステップＳ６０６：Ｙｅｓ）、判定部２２は、記憶部１９に格納されるユーザの自動分析装置１Ａへの最新のアクセス時刻を取得し（ステップＳ６０７）、取得した最新のアクセス時刻から所定時間経過したか否かを判定する（ステップＳ６０８）。判定部２２が最新のアクセス時刻から所定時間未経過と判定する場合は（ステップＳ６０８：Ｎｏ）、所定時間経過するまで待機し、判定部２２が最新のアクセス時刻から所定時刻経過と判定後（ステップＳ６０８：Ｙｅｓ）、出力部１７により自動分析装置１Ａの電源をオフする旨出力する（ステップＳ６０９）。自動電源オフをユーザに報知することにより、ユーザに電源オフの可否の判断の機会を付与するものである。判定部２２は、電源オフの出力後、所定期間内にユーザからアクセスされたか否かを確認し（ステップＳ６１０）、アクセスがない場合には（ステップＳ６１０：Ｎｏ）、電源制御部２１は自動分析装置１Ａの電源をオフする（ステップＳ６１１）。ユーザのアクセスがあった場合には（ステップＳ６１０：Ｙｅｓ）、自動電源オフ処理ではなくユーザの手動により電源オフされるほか、メンテナンスや再分析等の処理終了後、再度自動電源オフ処理を行ってもよい。
【００７１】
自動分析装置１Ｂの自動電源オフ処理も上述した自動分析装置１Ａの自動電源オフ処理と同様にして行なう。本変形例は、算出部２５により各装置の分注待ちの検体量を把握し、検体搬送制御部２５Ａが負荷の大きい自動分析装置への検体搬送を制御して、システム全体としての分析終了時刻を調整することができる。予定終了時刻だけでなく、所定時間毎に、算出部２５による各装置の分注待ちの検体量の把握と、検体搬送制御部２５Ａによる負荷の大きい自動分析装置への検体搬送の制御を行ってもよく、かかる場合には、各自動分析装置への効率的な検体搬送が可能となるため、自動分析装置の実質的な稼働時間を削減し、消費電力の削減も可能となる。
【図面の簡単な説明】
【００７２】
【図１】実施の形態１の自動分析装置の概略構成を示す図である。
【図２】実施の形態１にかかる自動分析装置の自動電源オフ処理のフローチャートである。
【図３】実施の形態１の変形例にかかる自動分析装置の自動電源オフ処理のフローチャートである。
【図４】実施の形態２の自動分析システムの概略構成を示す平面図である。
【図５】実施の形態２の自動分析システムでの終了予定時刻設定画面の表示例である。
【図６】実施の形態２にかかる自動分析システムの自動電源オフ処理のフローチャートである。
【図７】実施の形態３の自動分析システムの概略構成を示す平面図である。
【図８】実施の形態３にかかる自動分析システムの自動電源オフ処理のフローチャートである。
【図９】実施の形態３の変形例にかかる自動分析システムの概略構成を示す平面図である。
【図１０】実施の形態３の変形例にかかる自動分析システムの自動電源オフ処理のフローチャートである。
【図１１】図９の自動分析装置１Ａの自動電源オフ処理のフローチャートである。
【符号の説明】
【００７３】
１                自動分析装置
２                第１試薬庫
２ａ、３ａ        試薬容器
１０ａ、１０ｂ、１０ｃ  読取装置 
３                第２試薬庫
４                反応テーブル
５                反応容器
６                第１試薬分注装置
６ａ、７ａ、２０ａ  アーム
６ｂ、７ｂ、２０ｂ  プローブ
６ｄ、７ｄ、２０ｄ  洗浄槽
７                第２試薬分注装置
８                検体容器移送部
９                ラック
９ａ              検体容器
１１              分析光学系
１２              洗浄機構
１３              第１攪拌装置
１４              第２攪拌装置
１５              制御部
１６              入力部
１７              出力部
１８              分析部
１９              記憶部
２０              検体分注装置
２１              電源制御部
２２              判定部
２４Ａ、２４Ｂ    ラック引き込み部
２５              算出部
３０              供給・排出口
３１              開栓装置
３２              遠心分離機
３３              検体搬送システム
３３ａ、３３ｂ、３３ｃ、３３ｄ、３３ｅ、３３ｆ、３３ｇ、３３ｈ  ラック回転機構
３４              中央制御装置
３５、３５Ａ      検体搬送制御部
４０              測定機構
５０              制御機構
【図１】
2010223736.tif 000003
【図２】
2010223736.tif 000004
【図３】
2010223736.tif 000005
【図４】
2010223736.tif 000006
【図５】
2010223736.tif 000007
【図６】
2010223736.tif 000008
【図７】
2010223736.tif 000009
【図８】
2010223736.tif 000010
【図９】
2010223736.tif 000011
【図１０】
2010223736.tif 000012
【図１１】
2010223736.tif 000013